(57)【特許請求の範囲】
【請求項１】
柱、梁、壁胴縁、当該壁胴縁の室外側と室内側にそれぞれ設置された外壁材と荷ずり木などを構成材とするシステム建築の荷ずり木の取付け部の構造において、前記荷ずり木は前記壁胴縁に止付け具と複数の止付けねじによって取り付けられ、前記止付け具は前記荷ずり木を直に把持できるように前記荷ずり木の断面形状に合わせて形成された止付け具本体の両端部に取付け片を対称に突設することにより形成され、かつ前記取付け片に形成された取付け孔を貫通する複数の止付けねじによって前記壁胴縁に止め付けられていることを特徴とするシステム建築用荷ずり木の取付け部の構造。
【請求項２】
荷ずり木と止付け具および壁胴縁との間に緩衝材が介在されてなることを特徴とする請求項１記載のシステム建築用荷ずり木の取付け部の構造。
【発明の詳細な説明】
【技術分野】
【０００１】
本発明は、柱、梁、壁材および屋根材などを構成要素とするシステム建築用荷ずり木の取付け部の構造に関し、主として倉庫内の壁際に荷ずり木を簡単にかつ安価で早く設置することができる。
【背景技術】
【０００２】
出願人は、柱、梁、屋根材および壁材などの建物を構成する部材の寸法や形状、他の部材とのディテール、施工方法などをあらかじめ決定し、統一することにより、営業、設計から工場製作・施工まで、すべての建築生産プロセスを標準化して、短工期かつ低コストで高品質の鉄骨構造建築物を提供するシステム建築を開発し、これまで様々な建物の建設に成果を上げている。  
【０００３】
ところで、倉庫内に品物や資材を積んで保管する場合、倉庫内の壁際には、積まれた品物が壁に直接触れないように荷ずり木が建て付けられている。荷ずり木を設置することにより品物や資材が壁とすれないようにすることができ、また、壁際の通気を良くして品物の保存状態を保つことができる。
【０００４】
さらに、倉庫の壁材は比較的簡単な方法で止め付けられていることが多いため、荷崩れによって壁が損壊するおそれがあるが、荷ずり木を設置することによりこれを未然に防止することができる。
【０００５】
この種の荷ずり木の設置方法には、これまで特に決まった仕様はなく、一般に、壁の内側に壁を取り付ける壁胴縁とは別に専用の横受け材を新たに設置し、これに荷ずり木を建て付けていたが、その際の横受け材や荷ずり木の寸法や間隔、さらには荷ずり木の止め付け方法は、その都度、最適と思われる寸法、止め付け方法で行っていた。
【０００６】
例えば、図３に図示するように壁胴縁とは別に横受け材７を設置し、この横受け材７に荷ずり木８を建て付け、Ｌ形状の止付け具９と複数の止付けねじ１０によって固定していた。
【先行技術文献】
【特許文献】
【０００７】
【特許文献１】特公平０３−２８５４６号公報
【特許文献２】特開２００４−２６２２７２号公報
【発明の開示】
【発明が解決しようとする課題】
【０００８】
しかし、荷ずり木を止め付けるための専用の横受け材を壁胴縁とは別に設置するとなると、部材数と作業数が共に増えて煩雑になるだけでなく、コストが嵩み、工期も長引く等の課題があった。また、横受け材や荷ずり木の寸法、設置間隔、さらには荷ずり木の止め付けを、その都度決定していたのできわめて非効率な作業を強いられる等の課題もあった。
【０００９】
本発明は、以上の課題を解決するためになされたもので、荷ずり木を簡単にかつ安価で早く設置できるようにしたシステム建築用荷ずり木の取付け部の構造を提供することを目的とするものである。
【課題を解決するための手段】
【００１０】
請求項１記載のシステム建築用荷ずり木の取付け部の構造は、柱、梁、壁胴縁、当該壁胴縁の室外側と室内側にそれぞれ設置された外壁材と荷ずり木などを構成材とするシステム建築の荷ずり木の取付け部の構造において、前記荷ずり木は前記壁胴縁に止付け具と複数の止付けねじによって取り付けられ、前記止付け具は前記荷ずり木を直に把持できるように前記荷ずり木の断面形状に合わせて形成された止付け具本体の両端部に取付け片を対称に突設することにより形成され、かつ前記取付け片に形成された取付け孔を貫通する複数の止付けねじによって前記壁胴縁に止め付けられていることを特徴とするものである。
【００１１】
本発明は、柱や梁などの建物を構成する部材の寸法や形状、他の部材とのディテール、施工方法をあらかじめ決定し、統一化することにより、営業、設計から工場製作・施工まで、すべての建築生産プロセスを標準化された鉄骨構造の倉庫において、荷ずり木を壁胴縁に止め付けることにより荷ずり木を固定する専用の横受け材およびその設置作業を省略して、荷ずり木を簡単にかつ安価で早く設置できるようにしたものである。
【００１２】
荷ずり木には、例えば亜鉛メッキ円形鋼管や角形鋼管などのスチール製のものに限らず、木製の丸太や角材さらには樹脂製のものも利用することができ、また、その設置間隔は保管する品物や資材の大きさ等にもよるが、通常７５０ｍｍ程度が望ましい。
【００１３】
また、荷ずり木を壁胴縁に止め付ける止付け具も、少なくとも荷ずり木を把持する部分と壁胴縁に止付ける部分とを有し、荷ずり木を壁胴縁に確実に固定できるものであれば、材質や形状等は限定されるものではない。
【００１４】
例えば、円形鋼管や丸太を荷ずり木として利用する場合、荷ずり木を把持する部分は荷ずり木の断面形状に合せてＵ字状とし、その両端部に壁胴縁にねじ止めするための止付け部として取付け片を突設したものでよい。
【００１５】
また、角形鋼管や角材を利用する場合は、荷ずり木を把持する部分を矩形状にすればよい。さらに、止付け具は金属製や樹脂製のいずれでも良い。
【００１６】
請求項２記載のシステム建築用荷ずり木の取付け部の構造は、請求項１記載のシステム建築用荷ずり木の取付け部の構造において、荷ずり木と止付け具および壁胴縁との間に緩衝材が介在されてなることを特徴とするものである。
【００１７】
本発明は、荷ずり木と止付け具および壁胴縁との間に緩衝材を介在することにより、荷ずり木と止付け具および壁胴縁間の隙間を無くし、荷ずり木を壁胴縁に確実に固定できるようにしたものである。緩衝材にはゴム等の弾性材が望ましい。
【発明の効果】
【００１８】
本発明は、荷ずり木を壁胴縁に止め付けることで、荷ずり木を受ける専用の横受け材およびその設置作業を省略することができ、これにより荷ずり木を簡単にかつ安価で早く設置することができる等の効果があり、また、荷ずり木と止付け具との間に緩衝材を介在することで、荷ずり木と止付け具および壁胴縁間の隙間が無くなり、荷ずり木を壁胴縁に確実に固定することができる等の効果もある。
【００１９】
さらに、荷ずり木、止付け具および止付けねじは、いずれも容易に調達することができ、しかも荷ずり木は壁胴縁にきわめて簡単な構造によって止付けることが可能なことにより、これらの部品と止付け方法を統一し、標準化することができ、これにより現場施工の大幅な省力化とコストダウンを図ることができる。
【図面の簡単な説明】
【００２０】
【図１】荷ずり木が設置された倉庫内を示す壁際部分の一部斜視図である。
【図２】荷ずり木の取付け部を示し、(ａ)はその斜視図、(ｂ)は他の実施形態を示す横断面図である。
【図３】従来の荷ずり木の取付け部の構造を示す横断面図である。
【発明を実施するための形態】
【００２１】
図１と図２は、本発明の一実施形態を示し、図において、壁胴縁１の室外側に外壁材２が設置され、壁胴縁１の室内側に荷ずり木３が壁胴縁１の横方向に一定間隔おきに建て付けられている。また、各荷ずり木３は各壁胴縁１に止付け具４と複数の止付けねじ５によって固定されている。
【００２２】
なお、壁胴縁１、外壁材２、荷ずり木３、止付け具４および止付けねじ５の寸法や形状などは統一することにより標準化されている。
【００２３】
また特に、荷ずり木３には亜鉛メッキ鋼管などが用いられ、その長さと設置間隔は室内の天井高と保管する品物や資材の大きさ等にもよるが、通常、長さ４．５ｍ程度の亜鉛メッキ鋼管が用いられ、壁胴縁１の長手方向に通常７５０ｍｍ程度の間隔で建て付けられている。
【００２４】
なお、荷ずり木には、亜鉛メッキ円形鋼管や角形鋼管などのスチール製のものに限らず、木製の丸太や角材さらには樹脂製のものも利用することができる。
【００２５】
止付け具４は荷ずり木３を真横から把持するようにＵ字状に形成された止付け具本体４ａと、止付け具本体４ａの両端部に突設された取付け片４ｂ，４ｂとから形成され、取付け片４ｂには取付け孔４ｃがそれぞれ形成されている。
【００２６】
なお、荷ずり木３が角形鋼管や木製角材のときは、荷ずり木３の断面形状に合せて止付け具本体４ａは矩形状に形成されている。また、止付け具４の止付け具本体４ａと取付け片４ｂは亜鉛メッキ鋼板や合成樹脂材などから一体に形成されている。
【００２７】
そして、荷ずり木３に止付け具本体４ａが添え付けられ、両端の取付け片４ｂ，４ｂが壁胴縁１に取付け孔４ｃを貫通する止付けねじ５によって止め付けられている。止付けねじ５にはタッピングねじ等が用いられている。
【００２８】
なお、図２(ｂ)は、本発明の他の実施形態を示し、止付け具４の止付け具本体４ａと荷ずり木３および壁胴縁２との間に緩衝材６が介在されている。緩衝材６にはゴム等が用いられている。
【００２９】
荷ずり木３と止付け具４および壁胴縁１との間に緩衝材６を介在することで、荷ずり木３と止付け具４および壁胴縁１間の隙間が無くなり、荷ずり木３を壁胴縁１に確実に固定することができる。
【産業上の利用可能性】
【００３０】
本発明は、倉庫内の壁際に設置される荷ずり木を簡単にかつ安価で早く設置することができる。
【符号の説明】
【００３１】
１  壁胴縁
２  外壁材
３  荷ずり木
４  止付け具
４ａ  止付け具本体
４ｂ  取付け片
４ｃ  取付け孔
５  止付けねじ
６  緩衝材
７  横受け材
８  荷ずり木
９  止付け具
１０  止付けねじ
【図１】
0005484924.tif 000002
【図２】
0005484924.tif 000003
【図３】
0005484924.tif 000004